(57)【要約】【課題】熱膨張による破損を防ぐとともに、容易に設置できるフェンスを提供する。【解決手段】フェンス１０は、第一支柱１２と、第二支柱１４と、第一支柱１２と第二支柱１４との間に設けられた第一横板１６ａ、第二横板、および第三横板の三つ以上の横板を有する。第二横板は、第一横板１６ａの下方に隣り合うように、かつ第三横板の上方に隣り合うように配置されている。第二横板と第一横板１６ａ、および第二横板と第三横板に隙間ができるように、第一横板１６ａ、第二横板、および第三横板の少なくとも一つの横板の少なくとも一方の端部に、複数の弾性部材３０が設けられている。第一支柱１２の側面には、複数の弾性部材３０の少なくとも一つが装着される第一ガイド部材２０が設けられている。第二支柱１４の側面には、複数の弾性部材３０の少なくとも一つが装着される第二ガイド部材２２が設けられている。【選択図】図２
0003205008.tif 000002
【実用新案登録請求の範囲】
【請求項１】
第一支柱と、
第二支柱と、
前記第一支柱と前記第二支柱との間に設けられた第一横板、第二横板、および第三横板の三つ以上の横板と、
を有するフェンスであって、
前記第二横板が、前記第一横板の下方に隣り合うように、かつ前記第三横板の上方に隣り合うように配置されており、
前記第二横板と前記第一横板、および前記第二横板と前記第三横板に隙間ができるように、前記第一横板、前記第二横板、および前記第三横板の少なくとも一つの横板の少なくとも一方の端部に設けられた複数の弾性部材と、
前記第一支柱の側面に設けられ、前記複数の弾性部材の少なくとも一つが装着される第一ガイド部材と、
前記第二支柱の側面に設けられ、前記複数の前記弾性部材の少なくとも一つが装着される第二ガイド部材と、
をさらに有するフェンス。
【請求項２】
請求項１において、
前記複数の弾性部材の厚さが、前記第一横板、前記第二横板、および前記第三横板の厚さより大きいフェンス。
【請求項３】
請求項１または２において、
前記第一ガイド部材および前記第二ガイド部材の水平断面が、一つの辺の一部を欠いた四角形状部を有しており、
前記複数の弾性部材が、前記第一ガイド部材または前記第二ガイド部材に内接しているフェンス。
【請求項４】
請求項１から３のいずれかにおいて、
前記第一ガイド部材および前記第二ガイド部材の下方であって、前記第一支柱と前記第二支柱との間に設けられた第三ガイド部材と、
最下段に配置される前記横板の下部に設けたれた下部弾性体と、
をさらに有し、
前記下部弾性体が、前記第三ガイド部材に内接しているフェンス。
【請求項５】
請求項１から４のいずれかにおいて、
前記第一ガイド部材および前記第二ガイド部材の上方であって、前記第一支柱と前記第二支柱との間に設けられた第四ガイド部材と、
最上段に配置される前記横板の上部に設けたれた上部弾性体と、
をさらに有し、
前記上部弾性体が、前記第四ガイド部材に内接しているフェンス。
【請求項６】
請求項４または５において、
前記下部弾性体および前記上部弾性体の少なくとも一方が円板形状を有するフェンス。
【考案の詳細な説明】
【技術分野】
【０００１】
本考案は、熱膨張による破損を防ぐとともに、容易に設置できるフェンスに関するものである。
【背景技術】
【０００２】
庭やウッドデッキ等の外周に設置するフェンスには、支柱と横板とを組み合わせて構成されるものがある。このフェンスは、例えば、所定の間隔で複数の支柱を地中やデッキフロア上に固定した後、隣り合った支柱の間に、複数の横板を上下方向に並べて固定することによって設置する。このとき、上下方向に一定の間隔を開けて横板を固定すれば、横板の隙間から、光や風を取り込める。
【０００３】
しかしながら、複数の横板を等間隔に固定するには、時間や労力を要する。また、支柱間にネジ等を用いて横板を固定した場合、横板の熱膨張によって、支柱や横板に無理な力が加わって、フェンスが破損するおそれがある。この問題に対応したフェンスが知られている（特許文献１）が、さらに容易に設置できるフェンスの出現が望まれている。
【先行技術文献】
【特許文献】
【０００４】
【特許文献１】実用新案登録第３１８９７４８号公報
【考案の概要】
【考案が解決しようとする課題】
【０００５】
本考案はこのような事情に鑑みてなされたものであり、熱膨張による破損を防ぐとともに、容易に設置できるフェンスを提供することを目的とする。
【課題を解決するための手段】
【０００６】
本考案のフェンスは、第一支柱と、第二支柱と、第一支柱と第二支柱との間に設けられた第一横板、第二横板、および第三横板の三つ以上の横板とを有するフェンスであって、第二横板が、第一横板の下方に隣り合うように、かつ第三横板の上方に隣り合うように配置されており、第二横板と第一横板、および第二横板と第三横板に隙間ができるように、第一横板、第二横板、および第三横板の少なくとも一つの横板の少なくとも一方の端部に設けられた複数の弾性部材と、第一支柱の側面に設けられ、複数の弾性部材の少なくとも一つが装着される第一ガイド部材と、第二支柱の側面に設けられ、複数の弾性部材の少なくとも一つが装着される第二ガイド部材とをさらに有する。
【０００７】
本考案のフェンスにおいて、複数の弾性部材の厚さが、第一横板、第二横板、および第三横板の厚さより大きいことが好ましい。また、本考案のフェンスにおいて、第一ガイド部材および第二ガイド部材の水平断面が、一つの辺の一部を欠いた四角形状部を有しており、複数の弾性部材が、第一ガイド部材または第二ガイド部材に内接していることが好ましい。
【０００８】
本考案のフェンスにおいて、第一ガイド部材および第二ガイド部材の下方であって、第一支柱と第二支柱との間に設けられた第三ガイド部材と、最下段に配置される横板の下部に設けたれた下部弾性体とをさらに有し、下部弾性体が、第三ガイド部材に内接していてもよい。また、本考案のフェンスにおいて、第一ガイド部材および第二ガイド部材の上方であって、第一支柱と第二支柱との間に設けられた第四ガイド部材と、最上段に配置される横板の上部に設けたれた上部弾性体とをさらに有し、上部弾性体が、第四ガイド部材に内接していてもよい。本考案のフェンスにおいて、下部弾性体および上部弾性体の少なくとも一方が円板形状を有することが好ましい。
【考案の効果】
【０００９】
本考案によれば、熱膨張による破損を防ぐとともに、容易に設置できるフェンスが得られる。
【図面の簡単な説明】
【００１０】
【図１】本考案の実施形態に係るフェンスの正面図。
【図２】図１のフェンスのＡ−Ａ線断面拡大図。
【図３】本考案の実施形態に係るフェンスを構成する横板の正面図。
【図４】本考案の実施形態に係るフェンスを構成する横板の平面図（ａ）と側面図（ｂ）。
【図５】本考案の実施形態に係るフェンスを構成する最上段の横板の正面図（ａ）と平面図（ｂ）。
【図６】本考案の実施形態に係るフェンスを構成する最下段の横板の正面図。
【図７】本考案の実施形態に係るフェンスの組立方法を説明するための正面図。
【図８】本考案の実施形態に係るフェンスの組立方法を説明するための正面図。
【図９】本考案の実施形態に係るフェンスの組立方法を説明するための正面図。
【図１０】本考案の実施形態に係るフェンスを構成する三つの横板の側面図。
【図１１】本考案の実施形態に係るフェンスの組立方法を説明するための正面図。
【図１２】本考案の実施形態に係るフェンスの組立方法を説明するための正面図。
【考案を実施するための形態】
【００１１】
以下、本考案のフェンスについて、図面を参照しながら実施形態に基づいて説明する。なお、図面は、フェンス、フェンスを構成する部材、およびフェンスの周辺部材を模式的に表したものであり、これらの実物の寸法および寸法比は、図面上の寸法および寸法比と必ずしも一致していない。また、重複説明は適宜省略し、同一部材には同一符号を付与することがある。
【００１２】
図１は、本考案の実施形態に係るフェンス１０の正面図である。図２は、図１のフェンス１０のＡ−Ａ線断面の拡大図である。フェンス１０は、第一支柱１２と、第二支柱１４と、第一支柱１２と第二支柱１４との間に設けられた三つ以上の横板とを備えている。本実施形態では、横板が、第一横板１６ａ、第二横板１６ｂ、第三横板１６ｃ、第四横板１６ｄ、および第五横板１６ｅから構成されているが、三つ以上であれば横板の枚数には特に制限がない。横板１６ａ，１６ｂ，１６ｃ，１６ｄ，１６ｅは、長方形の板状部材であり、木または樹脂等から構成されている。
【００１３】
図１に示すように、第二横板１６ｂは、第一横板１６ａの下方に隣り合うように、かつ第三横板１６ｃの上方に隣り合うように配置されている。第一支柱１２の側面には第一ガイド部材２０が設けられている。第二支柱１４の側面には第二ガイド部材２２が設けられている。第一ガイド部材２０および第二ガイド部材２２の下方であって、第一支柱１２と第二支柱１４との間には、第三ガイド部材１８が設けられている。また、第一ガイド部材２０および第二ガイド部材２２の上方であって、第一支柱１２と第二支柱１４との間には、第四ガイド部材２４が設けられている。
【００１４】
第一支柱１２および第二支柱１４は、ウッドデッキ等に下部が固定されたり、下部が地中に埋設されたりして設置される。本実施形態では、図２に示すように、第一支柱１２が、中空の直方体、つまり水平断面がロ字状の金属部材１２ａと、金属部材１２ａを前後から覆う外部材１２ｂ，１２ｃから構成されている。第一ガイド部材２０は、外部材１２ｂ，１２ｃで挟まれながら、金属部材１２ａに固定されている。このため、第一ガイド部材２０は、がたつきにくい。同様に、第二支柱１４は、金属部材１４ａと、金属部材１４ａを前後から覆う外部材１４ｂ，１４ｃから構成されており、第二ガイド部材２２は、外部材１４ｂ，１４ｃで挟まれながら、金属部材１４ａに固定されている。
【００１５】
第一ガイド部材２０および第二ガイド部材２２は、アルミやステンレス等の金属から構成されている。また、第一ガイド部材２０および第二ガイド部材２２の水平断面は、一つの辺の一部を欠いた四角形状部を有している。一つの辺の一部を欠いた四角形状部は、四つの角があるＣ字のような形状であり、また、コ字の２つの先端から、向かい合うように辺が伸びて、非接触状態を維持しているような形状でもある。本実施形態では、この四角形が長方形または正方形であるが、台形、ひし形、または平行四辺形などでもよい。本実施形態では、第一ガイド部材２０、第二ガイド部材２２、第三ガイド部材１８、および第四ガイド部材２４が同じ形状を有している。このため、部品の共通化よるフェンス１０のコストダウンが可能である。
【００１６】
図３は、第二横板１６ｂと第三横板１６ｃの正面図である。図４（ａ）は、第二横板１６ｂの平面図であり、図４（ｂ）は、第二横板１６ｂの側面図である。図２から図４に示すように、第二横板１６ｂと第一横板１６ａに隙間ができるように、第二横板１６ｂの両端部（左右の端）の上面に弾性部材３０，３０が設けられている。同様に、第二横板１６ｂと第三横板１６ｃに隙間ができるように、第三横板１６ｃの両端部の上面にも弾性部材３０，３０が設けられている。
【００１７】
また、図示していないが、第四横板１６ｄおよび第五横板１６ｅの両端部の上面にも弾性部材３０，３０が設けられている。図４に示すように、弾性部材３０は、横板の上面にネジＳによって固定されている。これらの弾性部材３０は、第一ガイド部材２０または第二ガイド部材２２に内接している。弾性部材３０は、ゴムやプラスチック等の弾性体から構成されている。
【００１８】
なお、第三横板１６ｃの両端部の上面に代えて、第二横板１６ｂの両端部の下面に弾性部材３０，３０を設けてもよい（図３の一点鎖線参照）。すなわち、上下に隣り合った横板に隙間が形成されれば、弾性部材３０を設置する横板には制限がない。換言すると、第一横板１６ａ、第二横板１６ｂ、および第三横板１６ｃの少なくとも一つの横板の少なくとも一方の端部に、複数の弾性部材３０が設けられている。
【００１９】
この複数の弾性部材３０の少なくとも一つが、第一ガイド部材２０または第二ガイド部材２２に装着されることによって、横板が第一支柱１２と第二支柱１４の間に設置される。本実施形態では、弾性部材３０の厚さが、第一横板１６ａ、第二横板１６ｂ、第三横板１６ｃ、第四横板１６ｄ、および第五横板１６ｅの厚さより大きい。このため、横板が第一ガイド部材２０および第二ガイド部材２２に接触しない。したがって、横板が熱膨張しても、フェンス１０が破損するおそれはほとんどない。
【００２０】
図５（ａ）は、第一横板１６ａの正面図であり、図５（ｂ）は、第一横板１６ａの平面図である。図６は、第五横板１６ｅの正面図である。図５に示すように、第一横板１６ａの上部には、二つの上部弾性体３２が設けられている。具体的には、第一横板１６ａの上面に上部弾性体３２がネジＳによって固定されている。これらの上部弾性体３２は、第四ガイド部材２４に内接している。また、図６に示すように、第五横板１６ｅの下部には、二つの下部弾性体３４が設けられている。具体的には、第五横板１６ｅの下面に下部弾性体３４がネジＳによって固定されている。これらの下部弾性体３４は、第三ガイド部材１８に内接している。上部弾性体３２および下部弾性体３４は、円板形状を有しており、ゴムやプラスチック等の弾性体から構成されている。
【００２１】
つぎに、フェンス１０の組立方法について説明する。図７から図１１は、フェンス１０の組立方法を説明するための正面図である。まず、図７（ａ）に示すように、第一ガイド部材２０、第二ガイド部材２２、第三ガイド部材１８、および第四ガイド部材２４を取り付けた状態で、第一支柱１２および第二支柱１４の下部を、コンクリート等で地中に固定する。
【００２２】
そして、図７（ｂ）に示すように、第一支柱１２および第二支柱１４から第四ガイド部材２４をいったん取り外す。こうすることにより、第一支柱１２および第二支柱１４の間隔が、実際に使用する第三ガイド部材１８および第四ガイド部材２４の長さと一致している。このため、距離を測定して第一支柱１２および第二支柱１４を固定したときと比べて誤差が少ない。
【００２３】
つぎに、図８に示すように、第一支柱１２と第二支柱１４の間に第五横板１６ｅをはめ込む。具体的には、下部弾性体３４が第三ガイド部材１８に、弾性部材３０が第一ガイド部材２０および第二ガイド部材２２にそれぞれ装着されるように、第五横板１６ｅを下ろす。そして、図９に示すように、第一支柱１２と第二支柱１４の間に、第四横板１６ｄ、第三横板１６ｃ、第二横板１６ｂの順ではめ込む。具体的には、弾性部材３０が第一ガイド部材２０および第二ガイド部材２２にそれぞれ装着されるように、各横板１６ｄ，１６ｃ，１６ｂを下ろす。第一支柱１２と第二支柱１４の間に設置されたときの第二横板１６ｂ、第三横板１６ｃ、および第四横板１６ｄの側面を図１０に示す。
【００２４】
つぎに、図１１に示すように、第一ガイド部材２０および第二ガイド部材２２に第一横板１６ａをはめ込む。そして、図１２に示すように、Ｌ字金具３６があらかじめ取り付けられている第四ガイド部材２４を、二つの上部弾性体３２にはめ込む。その後、ネジでＬ字金具３６を第一支柱１２と第二支柱１４に固定する。最後に、第一支柱キャップ２６を第一支柱１２に、第二支柱キャップ２８を第二支柱１４にそれぞれ装着する。なお、先に第四ガイド部材２４を第一横板１６ａに装着しておいてから、これらを第一ガイド部材２０および第二ガイド部材２２にはめ込んでもよい。
【符号の説明】
【００２５】
１０    フェンス
１２    第一支柱
１４    第二支柱
１６ａ  第一横板
１６ｂ  第二横板
１６ｃ  第三横板
１６ｄ  第四横板
１６ｅ  第五横板
１８    第三ガイド部材
２０    第一ガイド部材
２２    第二ガイド部材
２４    第四ガイド部材
２６    第一支柱キャップ
２８    第二支柱キャップ
３０    弾性部材
３２    上部弾性体
３４    下部弾性体
３６    Ｌ字金具
Ｓ    ネジ
【図１】
0003205008.tif 000003
【図２】
0003205008.tif 000004
【図３】
0003205008.tif 000005
【図４】
0003205008.tif 000006
【図５】
0003205008.tif 000007
【図６】
0003205008.tif 000008
【図７】
0003205008.tif 000009
【図８】
0003205008.tif 000010
【図９】
0003205008.tif 000011
【図１０】
0003205008.tif 000012
【図１１】
0003205008.tif 000013
【図１２】
0003205008.tif 000014